(57)【要約】  【課題】利用者が電子目次本機能付きカラオケリモコン装置を利用して所定のカラオケ楽曲を特定する場合、所定のグループユニットに属するアーティスト名によっても検索できると共に、グループ楽曲が特定されカラオケ演奏装置にて演奏される際には、当該アーティストの歌唱パートが明瞭に区別できるカラオケシステムの提供。  【解決手段】所定のグループユニットに属するアーティスト名によっても検索可能なグループ内アーティストデータベースを用いた検索手段を設けると共に、当該アーティストが属する所定のグループユニットのグループ楽曲が演奏される際には、当該アーティストが歌唱する歌唱パートと歌唱しない歌唱パートとを区別され得るように歌詞テロップをディスプレイ表示する。【選択図】図５
2005242058.tif 000002
【特許請求の範囲】
【請求項１】
利用者が所望するカラオケ楽曲を特定し、当該カラオケ楽曲を所定のカラオケ演奏装置に予約登録するための電子目次本機能付きカラオケリモコン装置を利用したカラオケシステムであって、アーティスト名を検索キーワードとして検索してカラオケ楽曲を特定するにあたり、所定のグループユニットに属するアーティスト名によっても検索可能とするグループ内アーティストデータベースを用いた検索手段を有すると共に、当該検索手段を利用して任意のアーティスト名にて検索した結果、ヒットしたカラオケ楽曲群の内、前記アーティストが所定のグループユニットに属する場合のカラオケ楽曲については当該カラオケ楽曲がグループ楽曲である旨を表示し、所定のグループ楽曲が特定され前記カラオケ演奏装置にて演奏される際には、前記アーティストが歌唱する歌唱パートと歌唱しない歌唱パートとを区別され得るように歌詞テロップをディスプレイ表示することを特徴とするカラオケシステム。
【発明の詳細な説明】
【技術分野】
【０００１】
本発明は、複数のアーティストからなるグループユニットに属するアーティスト名によっても検索可能な電子目次本機能付きカラオケリモコン装置を利用したカラオケシステムに関する。
【背景技術】
【０００２】
現在、電子目次本機能付きカラオケリモコン装置は、ノート型パソコンやパームトップ型パソコンに類似した形態のコンピュータ応用機器として製品化されている。そして、内蔵するフラッシュメモリなどの不揮発性メモリからなる記憶手段にカラオケ演奏装置が付帯するカラオケ楽曲データベースに対応するカラオケ楽曲についての属性情報を格納し、これを楽曲索引データベースとして管理しており、利用者が入力した検索キーワードを属性情報に関するクエリーとして当該データベースを照会し、該当するカラオケ楽曲についての目次情報や楽曲ＩＤコードなどを提示出力する。
【０００３】
そして、利用者が演奏を所望するカラオケ楽曲が最終的に指定されたならば、その楽曲のＩＤコードを含んだリモコン装置信号を所定のカラオケ演奏装置に転送し、カラオケ演奏装置は予約登録のためのリモコン装置信号を受信すると、その信号に含まれている楽曲ＩＤコードを演奏予約の待ち行列として登録し、その待ち行列から順次楽曲ＩＤコードをピックアップしていく。そして、ピックアップされた楽曲ＩＤコードに対応してカラオケ楽曲を順次演奏する。
【０００４】
電子目次本機能付きカラオケリモコン装置は、楽曲索引データベースに与えられる検索キーワードの属性情報に応じて、曲名・アーティスト名・ジャンル・年代などの各種検索モードを備えており、これまで、その検索機能に関連する様々な技術が想到され出願がなされている。例えば、特許文献１では、歌詞による検索機能において、先頭の歌詞文字に限られず、歌詞の全体を対象として利用者が入力した文字列が歌詞全体に含まれているかどうかを検索する技術が開示されている。また、特許文献２では、アーティストが出版した楽曲アルバムを手掛かりに歌いたい楽曲を探して演奏予約する技術が開示されている。さらに、特許文献３では、利用者の現在の年齢または生まれた年代の入力と共に、検索対象となる年代が利用者にとって何歳の時かあるいは何年生の時かを入力に基づき、所定のカラオケ楽曲を特定する技術が開示されている。
【特許文献１】特開２０００−９９０４０号公報
【特許文献２】特開２００２−３５１４７９号公報
【特許文献３】特開２００３−１４０６６９号公報
【発明の開示】
【発明が解決しようとする課題】
【０００５】
ところで、利用者が電子目次本機能付きカラオケリモコン装置に付帯された楽曲索引データベースを利用して所定のカラオケ楽曲を特定する場合、曲名とアーティスト名を検索キーワードとするのが主になっているが、特にアーティスト名を検索キーワードとする従来技術では、デュエット楽曲のように複数のアーティストが一時的にグループユニットを結成した場合を除き、正式なグループ名を有し構成員が略固定化（一部入れ替えがあってもほぼ固定化）した所定のグループユニットに属するアーティスト名によって検索するシステムはなかった。すなわち、従来技術では、例えば５人のアーティストが所定のグループユニットを構成している場合、その内、任意のアーティスト名は検索キーワードの対象とはなっておらず、グループ名が検索キーワードの対象となっているため、当該アーティストが当該グループで歌唱しているにもかかわらず、そのアーティスト名ではグループ楽曲を特定することはできなかった。
【０００６】
さらに、所定のグループ楽曲が特定されカラオケ演奏装置にて演奏される際、従来では任意のアーティストが歌唱する歌唱パートと歌唱しない歌唱パートとの区別が付かず、特に、他のアーティストを含めた合唱の歌唱パートでは、誰と誰が歌唱しているのかの区別が付かないため、利用者が、所望するアーティストになりきって、そのアーティストの歌唱パートを選択的に歌唱（他のアーティストのみの歌唱パートは別の利用者が歌唱）したくても、そのようなことはできなかった。
【０００７】
そこで、本発明は上記問題や不都合を解消するために想到されたもので、すなわち、利用者が電子目次本機能付きカラオケリモコン装置を利用して所定のカラオケ楽曲を特定する場合、所定のグループユニットに属するアーティスト名によっても検索できると共に、グループ楽曲が特定されカラオケ演奏装置にて演奏される際には、当該アーティストの歌唱パートが明瞭に区別できるカラオケシステムの提供を課題とする。
【課題を解決するための手段】
【０００８】
上記課題を鑑み、本発明者は、所定のグループユニットに属するアーティスト名によっても検索可能なグループ内アーティストデータベースを用いた検索手段を設けると共に、当該アーティストが属する所定のグループユニットのグループ楽曲が演奏される際には、当該アーティストが歌唱する歌唱パートと歌唱しない歌唱パートとを区別され得るように歌詞テロップをディスプレイ表示することで、上記課題を解決できることを見出し、本発明のカラオケシステムを想到した。
【０００９】
すなわち、本発明のカラオケシステムは、利用者が所望するカラオケ楽曲を特定し、当該カラオケ楽曲を所定のカラオケ演奏装置に予約登録するための電子目次本機能付きカラオケリモコン装置を利用したカラオケシステムであって、アーティスト名を検索キーワードとして検索してカラオケ楽曲を特定するにあたり、所定のグループユニットに属するアーティスト名によっても検索可能とするグループ内アーティストデータベースを用いた検索手段を有すると共に、当該検索手段を利用して任意のアーティスト名にて検索した結果、ヒットしたカラオケ楽曲群の内、前記アーティストが所定のグループユニットに属する場合のカラオケ楽曲については当該カラオケ楽曲がグループ楽曲である旨を表示し、所定のグループ楽曲が特定され前記カラオケ演奏装置にて演奏される際には、前記アーティストが歌唱する歌唱パートと歌唱しない歌唱パートとを区別され得るように歌詞テロップをディスプレイ表示することを特徴とする。
【発明の効果】
【００１０】
本発明のカラオケシステムによれば、デュエット楽曲のように複数のアーティストが一時的にグループユニットを結成する場合を除き、正式なグループ名を有し構成員が略固定化した所定のグループユニットに属するアーティスト名によっても検索できると共に、グループ楽曲が特定されカラオケ演奏装置にて演奏される際には、当該アーティストの歌唱パートが明瞭に区別でき、利用者は所望するアーティストになりきって、そのアーティストの歌唱パートを選択的に歌唱することができるといった効果を奏する。
【発明を実施するための最良の形態】
【００１１】
以下、本発明のカラオケシステムについて、最適な実施例を挙げ、本発明を詳述する。
【実施例１】
【００１２】
図１は本発明におけるカラオケリモコン装置の外観図であり、また、図２は本発明におけるカラオケリモコン装置のブロック構成図である。先ず、図１に示すカラオケリモコン装置（Ｒ）の基本構成はキーボードレス・コンピュータであり、外観的には装置正面の大部分が液晶表示パネル（１ａ）に透明タッチセンサ（１ｂ）を重ね合わせて構成した操作パネル（１）で占められている。そして、図２に示すように、カラオケリモコン装置（Ｒ）の内部には、ＣＰＵ・ＲＡＭ・ＲＯＭを含む中央制御手段（２）と、液晶表示パネル（１ａ）を表示駆動するＬＣＤドライバ（３）と、透明タッチセンサ（１ｂ）に対する入力座標を検出する入力検出手段（４）と、大容量の外部記憶であるフラッシュメモリ（５）と、カラオケ演奏装置に向けてリモコン信号を発信するための赤外線ＬＥＤ（６）およびＬＥＤドライバ（７）と、充電ステーションと結合して充電される電源電池（図示省略）と、充電ステーションに付属のデータ通信装置を介してカラオケ演奏装置とデータ通信する通信制御手段（８）などが実装されている。
【００１３】
中央制御手段（２）は、楽曲索引データベースをフラッシュメモリ（５）に格納して管理する。楽曲索引データベースは、カラオケ演奏装置で演奏に供される多数の楽曲についての属性情報を記述したデータベースであり、楽曲ＩＤコード・曲名・アーティスト名・グループ名・歌い出し部分の歌詞・流行時期・音楽ジャンル区分・使用された映画やテレビドラマのタイトル・使用されたテレビＣＭ・各種音楽賞の受賞経歴・デュエット曲か否かなど、さまざまな属性情報がこれに含まれている。カラオケリモコン装置をカラオケ演奏装置に接続されている充電ステーションに結合した状態において、中央制御手段（２）は通信制御手段（８）を介してカラオケ演奏装置とデータ通信し、楽曲索引データベースの内容を更新するようにシステム構成されている。そして、中央制御手段（２）は、利用客が所望する楽曲を前記楽曲索引データベースに基づいて検索するための処理を、操作パネル（１）を主体としたユーザインタフェイスの媒介で実行する。
【００１４】
以下、図３に示すグループ内アーティスト管理テーブルと図４および図５に示すデータベース検索処理表示画面に基づき、所定のグループユニットに属するアーティスト名によっても検索可能とする本発明のグループ内アーティストデータベースを用いた検索手段について説明する。先ず、図３に示すグループ内アーティスト管理テーブル（Ｔ）はグループ内アーティストデータベースを構成するためのものであり、その主な構成とは、楽曲ＩＤコードの上４桁の数字に相当し、グループを特定するＩＤ番号フィールド（ｆ１）と、グループユニットの正式呼称である「ＳＭＯＰＥ」、「キャンドルズ」、「かぐや紐」などのグループ名フィールド（ｆ２）と、当該グループユニットを構成する複数のアーティスト名が記載されたグループユニット構成フィールド（ｆ３）などからなる。なお、この管理テーブル（Ｔ）において、アーティスト名はアーティストのＩＤコードで管理しても構わず、この場合には、アーティスト名とそのＩＤコードの紐付けする別のテーブルを必要とする。また、本実施例では、このグループ内アーティスト管理テーブル（Ｔ）は、アーティストがグループ外で歌唱した個人楽曲についての管理テーブル（図示省略）ともリンク構造を有するものである。
【００１５】
次に、図４に示すデータベース検索処理表示画面の初期状態では検索メニュー画面（イ）が操作パネルに表示される。この検索メニュー画面（イ）のカラオケ楽曲検索ボタン（１０）にタッチ入力することから検索条件が指定され、所定の検索手順を経て最終的に検索された楽曲の識別情報を含んだ演奏予約リモコン信号がカラオケ演奏装置に向けて発信される。具体的には、先ず、検索メニュー画面（イ）において、本発明のシステムに関わる「グループ検索」ボタン（１０ａ）を利用者が選択してタッチすると、５０音のカナ文字パレット画面（ロ）に表示が切り替わり、その画面上の検索条件表示欄（１２）には、グループ検索である旨が表示され、検索キーワード入力部（１１）にカナ文字をタッチしてアーティスト名（例えば「かとりせんご」）を頭文字から順番に入力し（途中迄でもよい）、検索実行ボタン（「さがす」と表記：１３）にタッチ入力すると、図５に示すように、データベース検索処理表示画面の（ハ）には、楽曲索引データベースから該当するカラオケ楽曲が抽出され、ヒットしたカラオケ楽曲群（１４）が一覧表示される。
【００１６】
このカラオケ楽曲群（１４）には、アーティストがグループ内で歌唱したグループ楽曲（１４ａ）とアーティストがグループ外で歌唱した個人楽曲（１４ｂ）が掲載され、両者が区別され得るように、グループ楽曲である旨とグループ名（例えば「ＳＭＯＰＥ」）が明記される。そして、その中に利用者が所望する楽曲があれば、その楽曲表示領域内をタッチ入力すると、その楽曲の詳細説明画面（ニ）が表示される。この詳細説明画面（ニ）にも、グループ楽曲である旨とグループ名が示された「歌手名表示」（１５ａ）の他に、「曲名表示」や「楽曲ＩＤ表示」、あるいは「唄い出し表示」などの楽曲属性情報一覧（１５）が掲載される。そして、この画面上で転送ボタン（１６）にタッチ入力すると、その楽曲の楽曲ＩＤコードと演奏予約コマンドとを含んだ無線リモコン信号が所定のカラオケ演奏装置に向けて発信され、確認画面を表示（図示省略）して、先のカナ文字パレット画面（ロ）に戻る。
【００１７】
さらに、図６に示すカラオケ演奏装置のディスプレイ表示画面に基づき、グループ内アーティストデータベースを用いて検索されたアーティストが、所定のグループ楽曲において歌唱する歌唱パートと歌唱しない歌唱パートとを区別され得るような歌詞テロップのディスプレイ表示例について説明する。
【００１８】
図６に示すのは、所定のグループ楽曲が演奏される場合のカラオケ演奏装置が付帯するディスプレイ表示画面（Ｄ１〜Ｄ４）である。その表示画面内の所定部には、検索されたアーティスト名（１７）が表示されると共に、歌詞テロップ（１８）表示において、当該アーティストが歌唱する歌唱パートの歌詞テロップ（１８ａ）と、当該アーティストは歌唱せず、他のアーティストが歌唱する歌唱パートの歌詞テロップ（１８ｂ）とは、利用者が区別され得るようにディスプレイ表示される。例えば、Ｄ１では、当該アーティストが歌唱する歌唱パートの歌詞テロップ（１８ａ）は、他の歌詞テロップと区別され得るように、歌詞テロップ（１８ａ）の配色や色変わり色を異にし、また、Ｄ２では、歌詞テロップ（１８ａ）の文字サイズを異にし、さらに、Ｄ３では、歌詞テロップ（１８ａ）にアンダーラインなどのアイキャッチを設け、そして、Ｄ４では歌詞テロップ（１８ａ）の文字形ないし文字フォントを異にしている。
【００１９】
以上、詳述したように、本発明のカラオケシステムによれば、所定のグループユニットに属するアーティスト名によっても検索可能とし、当該アーティストが歌唱する歌唱パートと歌唱しない歌唱パートとを区別され得るように歌詞テロップをディスプレイ表示することで、利用者が電子目次本機能付きカラオケリモコン装置を利用して所定のカラオケ楽曲を特定する場合、所定のグループユニットに属するアーティスト名によっても検索できると共に、グループ楽曲が特定されカラオケ演奏装置にて演奏される際には、当該アーティストの歌唱パートが明瞭に区別でき、利用者は所望するアーティストになりきって、そのアーティストの歌唱パートを選択的に歌唱することができる。
【図面の簡単な説明】
【００２０】
【図１】本発明におけるカラオケリモコン装置の外観図。
【図２】本発明におけるカラオケリモコン装置のブロック構成図。
【図３】グループ内アーティスト管理テーブル。
【図４】データベース検索処理表示画面。
【図５】データベース検索処理表示画面。
【図６】カラオケ演奏装置のディスプレイ表示画面。
【符号の説明】
【００２１】
１０    カラオケ楽曲検索ボタン  
１０ａ  グループ検索ボタン
１１    検索キーワード入力部
１２    検索条件表示欄
１４    ヒットしたカラオケ楽曲群
１４ａ  グループ楽曲
１４ｂ  個人楽曲
１５    楽曲属性情報一覧
１５ａ  グループ楽曲である旨とグループ名が示された歌手名表示
【図１】
2005242058.tif 000003
【図２】
2005242058.tif 000004
【図３】
2005242058.tif 000005
【図４】
2005242058.tif 000006
【図５】
2005242058.tif 000007
【図６】
2005242058.tif 000008